(57)【要約】【課題】ホース本体の端末部を引き抜く際に、ホース本体の表面に傷を付けることなく安定した状態で効率良く引き抜くことが出来るホース端末部引き抜き装置を提供することを目的とする。【解決手段】ホース端末部引き抜き装置は、定尺スチールマンドレル等の金属製マンドレル１の外周面に外面ゴム層、補強層、内面ゴム層等で形成されたホース本体２をクランプするクランプ装置３と、このクランプ装置３によりクランプされるホース本体２の端末部２ａを所定の長さで、金属製マンドレル１の外周面まで切断する切断装置４と、切断されたホース本体２の端末部２ａを引き抜くための引き抜き装置５とで構成されている。クランプ装置３の近傍には、前記切断装置４により切断されたホース本体２の切欠溝７に係合する進退可能なクランプ補助治具８が設けてある。【選択図】  図１
2004338335.tif 000002
【特許請求の範囲】
【請求項１】
金属製マンドレルの外周面に形成されたホース本体の端末部を切断装置により所定の長さ切断し、ホース本体をクランプ装置により固定した状態で前記端末部を引き抜き装置により引き抜くように構成して成るホース端末部引き抜き装置において、
前記クランプ装置の近傍に、前記切断装置により切断されたホース本体の切欠溝に係合する進退可能なクランプ補助治具を設け、前記端末部引き抜き時に、前記クランプ補助治具によりホース本体の切欠溝の端面を支持するように構成したことを特徴とするホース端末部引き抜き装置。
【請求項２】
前記クランプ補助治具は、前記ホース本体の切欠溝に係合する周方向に複数に分割された板状の保持爪から成り、該保持爪は、シリンダーを介して進退するように構成した請求項１に記載のホース端末部引き抜き装置。
【発明の詳細な説明】
【０００１】
【発明の属する技術分野】
この発明は、ホース端末部引き抜き装置にかかわり、更に詳しくは、例えば、スチールマンドレル等の金属製マンドレルを使用して成形した高圧ホースの端末部を所定の長さ切断した後、その端末部を引き抜く際に用いるホース端末部引き抜き装置に関するものである。
【０００２】
【従来の技術】
従来、定尺高圧ホースを製造する場合に、定尺スチールマンドレル等の金属製マンドレルが使用され、ホースの加硫製造後に金属製マンドレルからホース本体を引き抜く際、金属製マンドレルの端末部を露出させる必要がある。
【０００３】
このため、ホース本体の端末部近傍を金属製マンドレルに達する深さで所定の長さ（一般にホース本体の端末部から１００ｍｍ程度の位置）を回転切断刃等の切断装置により切断する。即ち、ホース本体の外面ゴム層、補強層、内面ゴム層を回転切断刃によりホースを回転させながら切断するのである。
【０００４】
そして、ホース本体をクランプ装置のクランプ手段（チャック）によりクランプ固定すると共に、切断部は引き抜き装置のクランプ手段、即ち、金属製マンドレルの外径に合った半円弧状の一対の係合爪を係合させ、更にクランプ手段を備えた引き抜き装置をホース本体の長手方向にスライドさせて引っ張りながら切断した端末部を引き抜くようにしている（例えば、特許文献１参照）。
【０００５】
【特許文献１】
登録実用新案第２５８２２４７号公報（第１〜第３頁、図１）
【０００６】
【発明が解決しようとする課題】
然しながら、上記のような引き抜き装置を使用して、ホース本体から端末部を引き抜く力が過大となった時に、ホース本体を固定するためのクランプ装置においてホース長手方向に滑りが発生し、クランプ装置のクランプ爪によりホース本体の表面に傷を付けてしまい、製品の外観不良を起こすと言う問題があった。
【０００７】
この発明は、かかる従来の問題点に着目して案出されたもので、ホース本体の端末部を引き抜く際に、ホース本体の表面に傷を付けることなく安定した状態で効率良く引き抜くことが出来るホース端末部引き抜き装置を目的とするものである。
【０００８】
【課題を解決するための手段】
この発明は、上記目的を達成するため、クランプ装置の近傍に、前記切断装置により切断されたホース本体の切欠溝に係合する進退可能なクランプ補助治具を設け、前記端末部引き抜き時に、前記クランプ補助治具によりホース本体の切欠溝の端面を支持するように構成したことを要旨とするものである。
【０００９】
ここで、前記クランプ補助治具は、前記ホース本体の切欠溝に係合する周方向に複数に分割された板状の保持爪から成り、該保持爪は、シリンダーを介して進退するように構成するものである。
【００１０】
このように、ホース本体の端末部引き抜き時にホース本体の切欠溝の端面を支持するようなクランプ補助治具を設けることで、ホース本体から端末部を引き抜く力が過大となった時でも、ホース本体を確実に保持して、ホース本体の表面に傷を付けることなく安定した状態で効率良く引き抜くことが出来るものである。
【００１１】
【発明の実施の形態】
以下、添付図面に基づきこの発明の実施の形態を説明する。
【００１２】
図１は、この発明にかかるホース端末部引き抜き装置のクランプ装置側の概略構成図、図２は端末部の引き抜き装置の概略構成図、図３はホース端末部引き抜き装置全体の概略正面図、図４は図３の平面図を示している。
【００１３】
前記ホース端末部引き抜き装置は、定尺スチールマンドレル等の金属製マンドレル１の外周面に外面ゴム層、補強層、内面ゴム層等で形成されたホース本体２をクランプするクランプ装置３と、このクランプ装置３によりクランプされるホース本体２の端末部２ａを所定の長さで、金属製マンドレル１の外周面まで切断する切断装置４と、切断されたホース本体２の端末部２ａを引き抜くための引き抜き装置５とで構成されている。
【００１４】
前記クランプ装置３は、ホース本体２の外周面の複数箇所、この実施形態では１２０°間隔で３ヵ所をクランプ，アンクランプする回転、かつ拡縮可能なチャッキング爪６により構成され、このクランプ装置３の近傍には、前記切断装置４により切断されたホース本体２の切欠溝７に係合する進退可能なクランプ補助治具８が設けてある。
【００１５】
前記クランプ補助治具８は、この実施形態では、クランプ装置３の上下部に水平に設置された支持部材９に上下一対の支持プレート１０が鉛直向きに吊設され、この支持プレート１０に昇降シリンダー１１を介してホース本体２の中心に向かって進退する板状の保持爪１２が相対向する位置に配設されている。
【００１６】
この保持爪１２は、前記切断装置４により切断されたホース本体２の切欠溝７に係合する厚さで、先端は金属製マンドレル１に係合するように円弧状に形成されている。
【００１７】
また、前記切断装置４は、図１，図３，図４に示すように、カバー１３により覆われた回転自在な円盤状の回転切断刃１４がホース本体２の長手方向（搬送方向）と直交する向きに配設されたガイドレール１５に沿って進退可能に設置され、ホース本体２の端末部２ａを所定の長さで、金属製マンドレル１の外周面まで切断する際には、ホース本体２側に前進して端末部２ａを切断し、端末部２ａを引き抜き装置５により抜き取る際には、前記クランプ補助治具８や引き抜き装置５の作動の邪魔にならない位置まで後退するように構成されている。
【００１８】
更に、引き抜き装置５は、図１〜図４に示すように、相対向する一対のフレーム１６ａ，１６ｂを介してホース本体２の長手方向（搬送方向）と平行に移動可能に設置され、このフレーム１６ａ，１６ｂの先端には、切断装置４により切断されたホース本体２の端末部２ａの切欠溝７に係合する引き抜き用爪１７ａ，１７ｂが取付けられている。  引き抜き用爪１７ａ，１７ｂを備えた一対のフレーム１６ａ，１６ｂは、ガイド部材１８を介してホース本体２に対して接近離反可能であり、またシリンダー１９を介してホース本体２の長手方向（搬送方向）に移動出来るように構成されている。
【００１９】
従って、前記切断装置４により切断されたホース本体２の端末部２ａを引き抜く際には、ホース本体２をクランプ装置３により所定の圧力によりクランプすると共に、切断装置４により切断された切欠溝７に保持爪１２及び引き抜き用爪１７ａ，１７ｂを係合させた状態で、引き抜き用爪１７ａ，１７ｂをシリンダー１９を介して一対のフレーム１６ａ，１６ｂをホース本体２の端末部２ａ側に移動させることにより引き抜くことが出来るものである。
【００２０】
即ち、引き抜き装置５の引き抜き用爪１７ａ，１７ｂを切欠溝７に係合させた状態でホース本体２の端末部２ａ側に移動させると、ホース本体２は、クランプ装置３のクランプ力と、切欠溝７の端面に当接するクランプ補助治具８の保持爪１２により保持され、切断された端末部２ａのみを金属製マンドレル１の端末部から円滑に引き抜くことが出来るのである。
【００２１】
以上のように、ホース本体２の端末部２ａの引き抜き時にホース本体２の切欠溝７の端面を支持するようなクランプ補助治具８を設けることで、ホース本体２から端末部２ａを引き抜く力が過大となった時でも、ホース本体２を確実に保持して、ホース本体２の表面に傷を付けることなく安定した状態で効率良く引き抜くことが出来るものである。
【００２２】
【発明の効果】
この発明は、上記のようにクランプ装置の近傍に、切断装置により切断されたホース本体の切欠溝に係合する進退可能なクランプ補助治具を設け、前記端末部引き抜き時に、前記クランプ補助治具によりホース本体の切欠溝の端面を支持するように構成したので、ホース本体の端末部を引き抜く際に、ホース本体の表面に傷を付けることなく安定した状態で効率良く引き抜くことが出来、また既存の装置を変更することなく、クランプ補助治具を付加することで、ホース本体の端末部を容易に引き抜くことが出来る。
【図面の簡単な説明】
【図１】この発明にかかるホース端末部引き抜き装置のクランプ装置側の概略構成図である。
【図２】端末部の引き抜き装置の概略構成図である。
【図３】ホース端末部引き抜き装置全体の概略正面図である。
【図４】図３の平面図である。
【符号の説明】
１  金属製マンドレル              ２  ホース本体
２ａ  端末部                        ３  クランプ装置
４  切断装置                      ５  引き抜き装置
６  チャッキング爪                ７  切欠溝
８  クランプ補助治具              ９  支持部材
１０  支持プレート                １１  昇降シリンダー
１２  保持爪                      １３  カバー
１４  回転切断刃                  １５  ガイドレール
１６ａ，１６ｂ  フレーム
１７ａ，１７ｂ  引き抜き用爪      １８  ガイド部材
１９  シリンダー
【図１】
2004338335.tif 000003
【図２】
2004338335.tif 000004
【図３】
2004338335.tif 000005
【図４】
2004338335.tif 000006